(57)【要約】【課題】検体又は試薬を検査チップに注入する場合に、検体又は試薬が外側に漏れる可能性を低減する検査チップ体を提供する。【解決手段】検査チップ体１０１は、検査チップ２Ａ，２Ｂ、及び分配部８０を備えている。検査チップ２Ａは、第一注入口１４１，１４２を備えている。検査チップ２Ｂは、第二注入口１５１，１５２を備えている。分配部８０は、第一注入口１４１，１４２を形成する第一壁部２０１と第二注入口１５１，１５２を形成する第二壁部２０２に接続されている。第一壁部２０１と分配部８０との第一接続部８７Ａには、切込部８９１が設けられている。第二壁部２０２と分配部８０との第二接続部８７Ｂには、切込部８９２が設けられている。【選択図】図２
2015031526.tif 000002
【特許請求の範囲】
【請求項１】
検体又は試薬が注入される少なくとも一つの第一注入口を備える第一検査チップと、
前記検体又は前記試薬が注入される少なくとも一つの第二注入口を備える第二検査チップと、
前記第一注入口を形成する第一壁部と前記第二注入口を形成する第二壁部とに接続され、前記検体又は前記試薬が導入される導入口と、前記導入口と前記第一注入口とを連通する第一注入流路と、前記導入口と前記第二注入口とを連通する第二注入流路とを備える分配部と、
前記第一壁部と前記分配部との第一接続部、前記第二壁部と前記分配部との第二接続部、及び前記分配部のうちの少なくとも１つに設けられた切込部と
を備えたことを特徴とする検査チップ体。
【請求項２】
前記第一検査チップは、第一方向に並ぶ複数の前記第一注入口を備え、
前記第二検査チップは、第二方向に並ぶ複数の前記第二注入口を備え、
前記切込部は前記第一接続部と前記第二接続部とに形成され、
前記第一接続部側の前記切込部は、前記第一方向に沿って設けられ、
前記第二接続部側の前記切込部は、前記第二方向に沿って設けられていることを特徴とする請求項１に記載の検査チップ体。
【請求項３】
前記複数の第一注入口は、前記第一壁部の第一面側から、前記第一面に対向する第二面に向かって凹んで形成され、且つ前記第一方向に沿って並び、
前記複数の第二注入口は、前記第二壁部の第三面側から、前記第三面に対向する第四面に向かって凹んで形成され、且つ前記第二方向に沿って並び、
前記第一接続部側の前記切込部は、前記第一方向に沿って前記第二面側の面に形成され、
前記第二接続部側の前記切込部は、前記第二方向に沿って前記第四面側の面に形成されていることを特徴とする請求項２に記載の検査チップ体。
【請求項４】
前記複数の第一注入口は２つであり、
前記複数の第二注入口は２つであり、
２つの前記第一注入口は、夫々前記第一壁部における対向する面に互いに対向して設けられ、
２つの前記第二注入口は、夫々前記第二壁部における対向する面に互いに対向して設けられ、
前記第一接続部側の前記切込部は、前記２つの第一注入口が並ぶ前記第一方向に沿って形成され、
前記第二接続部側の前記切込部は、前記２つの第二注入口が並ぶ前記第二方向に沿って形成されていることを特徴とする請求項２に記載の検査チップ体。
【請求項５】
前記切込部は、前記分配部に設けられ、前記導入口と対向して形成されていることを特徴とする請求項１に記載の検査チップ体。
【請求項６】
前記第一検査チップは、
前記第一注入口に繋がり、前記第一注入口から注入された前記検体又は前記試薬を保持する第一保持部と、
前記第一保持部に対して前記第一注入口側とは反対側の流路に繋がる第一流路入口と
を備え、
前記第二検査チップは、
前記第二注入口に繋がり、前記第二注入口から注入された前記検体又は前記試薬を保持する第二保持部と、
前記第二保持部に対して前記第二注入口側とは反対側の流路に繋がる第二流路入口と
を備え、
前記第一注入口から前記第一保持部に向かう第三方向は、前記第一保持部から前記第一流路入口に向かう第四方向と交差し、
前記第二注入口から前記第二保持部に向かう第五方向は、前記第二保持部から前記第二流路入口に向かう第六方向と交差することを特徴とする請求項１から５のいずれかに記載の検査チップ体。
【請求項７】
前記第一注入流路の少なくとも一部及び前記第二注入流路の少なくとも一部を覆う第一カバーと、
前記第一検査チップに形成された流路を覆う第二カバーと、
前記第二検査チップに形成された流路を覆う第三カバーと
を備え、
前記第一カバーと前記第二カバーとは、前記第一接続部における前記切込部において互いに別体であり、
前記第一カバーと前記第三カバーとは、前記第二接続部における前記切込部において互いに別体であることを特徴とする請求項２から４のいずれかに記載の検査チップ体。
【請求項８】
前記第一検査チップと前記第二検査チップとは、互いに流路の形成パターンが同一であり、且つ、同一の前記形成パターンの流路が設けられる面が互いに逆向きであることを特徴とする請求項１から７のいずれかに記載の検査チップ体。
【請求項９】
前記第一検査チップと前記第二検査チップとの間の位置関係は、検査装置における前記第一検査チップと前記第二検査チップとが配置される２つの配置部の間の位置関係と同一であることを特徴とする請求項８に記載の検査チップ体。
【請求項１０】
前記第一検査チップにおける前記第一注入口が設けられる端面とは反対側の端面と、前記第二検査チップにおける前記第二注入口が設けられる端面とは反対側の端面との２つの面とは異なる部位に、材料を注入する材料注入口を有する金型を用いて製造されることを特徴とする請求項１から９のいずれかに記載の検査チップ体。
【発明の詳細な説明】
【技術分野】
【０００１】
本発明は、検体又は試薬が注入される検査チップ体に関する。
【背景技術】
【０００２】
従来、検体又は試薬が注入される検査チップが知られている。例えば、特許文献１に記載の検査対象受体は、第一液溜め部及び第二液溜め部等を備えている。検査対象受体には、検査対象受体の表面を覆い、第一液溜め部及び第二液溜め部等を封止するカバー部材が張り付けられている。カバー部材には、第一液溜め部に検体又は試薬を注入する注入口と、第二液溜め部に検体又は試薬を注入する注入口とが形成されている。
【先行技術文献】
【特許文献】
【０００３】
【特許文献１】特開２０１２−７８１１３号公報
【発明の概要】
【発明が解決しようとする課題】
【０００４】
例えば、複数の検査対象受体が検査に用いられる場合、複数の検査対象受体に検体又は試薬を分配する分配器が複数の検査対象受体の夫々の注入口に接続され、複数の検査対象受体に検体又は試薬が注入される場合がある。しかしながら、分配器を注入口に接続した場合、分配器と注入口との間に隙間が生じる恐れがある。この場合、検体又は試薬が隙間から検査対象受体の外側に漏れるおそれがある。
【０００５】
本発明の目的は、検体又は試薬を検査チップに注入する場合に、検体又は試薬が外側に漏れる可能性を低減する検査チップ体を提供することである。
【課題を解決するための手段】
【０００６】
本発明に係る検査チップ体は、検体又は試薬が注入される少なくとも一つの第一注入口を備える第一検査チップと、前記検体又は前記試薬が注入される少なくとも一つの第二注入口を備える第二検査チップと、前記第一注入口を形成する第一壁部と前記第二注入口を形成する第二壁部とに接続され、前記検体又は前記試薬が導入される導入口と、前記導入口と前記第一注入口とを連通する第一注入流路と、前記導入口と前記第二注入口とを連通する第二注入流路とを備える分配部と、前記第一壁部と前記分配部との第一接続部、前記第二壁部と前記分配部との第二接続部、及び前記分配部のうちの少なくとも１つに設けられた切込部とを備えている。
【０００７】
分配部は第一壁部と第二壁部とに接続されている。すなわち、検査チップ体では、第一検査チップ、第二検査チップ、及び分配部が一体に形成されている。分配部に設けられた第一注入流路は第一注入口に繋がり、第二注入流路は第二注入口に繋がっている。導入口から導入された検体又は試薬は、第一注入流路を通って第一注入口から第一検査チップに注入され、第二注入流路を通って第二注入口から第二検査チップに注入される。第一検査チップ、第二検査チップ、及び分配部が一体で形成されているので、分配部と第一検査チップとの間、及び分配部と第二検査チップとの間に隙間が生じにくい。よって、検体又は試薬を第一検査チップと第二検査チップとに注入する場合に、検体又は試薬が隙間から検査チップ体の外側に漏れる可能性を低減できる。
【０００８】
前記検査チップ体において、前記第一検査チップは、第一方向に並ぶ複数の前記第一注入口を備え、前記第二検査チップは、第二方向に並ぶ複数の前記第二注入口を備え、前記切込部は前記第一接続部と前記第二接続部とに形成され、前記第一接続部側の前記切込部は、前記第一方向に沿って設けられ、前記第二接続部側の前記切込部は、前記第二方向に沿って設けられてもよい。
【０００９】
前記検査チップ体において、前記複数の第一注入口は、前記第一壁部の第一面側から、前記第一面に対向する第二面に向かって凹んで形成され、且つ前記第一方向に沿って並び、前記複数の第二注入口は、前記第二壁部の第三面側から、前記第三面に対向する第四面に向かって凹んで形成され、且つ前記第二方向に沿って並び、前記第一接続部側の前記切込部は、前記第一方向に沿って前記第二面側の面に形成され、前記第二接続部側の前記切込部は、前記第二方向に沿って前記第四面側の面に形成されてもよい。
【００１０】
前記検査チップ体において、前記複数の第一注入口は２つであり、前記複数の第二注入口は２つであり、２つの前記第一注入口は、夫々前記第一壁部における対向する面に互いに対向して設けられ、２つの前記第二注入口は、夫々前記第二壁部における対向する面に互いに対向して設けられ、前記第一接続部側の前記切込部は、前記２つの第一注入口が並ぶ前記第一方向に沿って形成され、前記第二接続部側の前記切込部は、前記２つの第二注入口が並ぶ前記第二方向に沿って形成されてもよい。
【００１１】
前記検査チップ体において、前記切込部は、前記分配部に設けられ、前記導入口と対向して形成されていてもよい。
【００１２】
前記検査チップ体において、前記第一検査チップは、前記第一注入口に繋がり、前記第一注入口から注入された前記検体又は前記試薬を保持する第一保持部と、前記第一保持部に対して前記第一注入口側とは反対側の流路に繋がる第一流路入口とを備え、前記第二検査チップは、前記第二注入口に繋がり、前記第二注入口から注入された前記検体又は前記試薬を保持する第二保持部と、前記第二保持部に対して前記第二注入口側とは反対側の流路に繋がる第二流路入口とを備え、前記第一注入口から前記第一保持部に向かう第三方向は、前記第一保持部から前記第一流路入口に向かう第四方向と交差し、前記第二注入口から前記第二保持部に向かう第五方向は、前記第二保持部から前記第二流路入口に向かう第六方向と交差してもよい。
【００１３】
前記検査チップ体は、前記第一注入流路の少なくとも一部及び前記第二注入流路の少なくとも一部を覆う第一カバーと、前記第一検査チップに形成された流路を覆う第二カバーと、前記第二検査チップに形成された流路を覆う第三カバーとを備え、前記第一カバーと前記第二カバーとは、前記第一接続部における前記切込部において互いに別体であり、前記第一カバーと前記第三カバーとは、前記第二接続部における前記切込部において互いに別体であってもよい。
【００１４】
前記検査チップ体において、前記第一検査チップと前記第二検査チップとは、互いに流路の形成パターンが同一であり、且つ、同一の前記形成パターンの流路が設けられる面が互いに逆向きであってもよい。
【００１５】
前記検査チップ体において、前記第一検査チップと前記第二検査チップとの間の位置関係は、検査装置における前記第一検査チップと前記第二検査チップとが配置される２つの配置部の間の位置関係と同一であってもよい。
【００１６】
前記検査チップ体は、前記第一検査チップにおける前記第一注入口が設けられる端面とは反対側の端面と、前記第二検査チップにおける前記第二注入口が設けられる端面とは反対側の端面との２つの面とは異なる部位に、材料を注入する材料注入口を有する金型を用いて製造されてもよい。
【図面の簡単な説明】
【００１７】
【図１】検査装置１及び制御装置９０を含む検査システム３の構成を示す図である。
【図２】検査チップ体１０１の斜視図である。
【図３】検査チップ体１０１の正面図である。
【図４】検査チップ体１０１の背面図である。
【図５】図３のＡ−Ａ線矢視方向部分断面図である。
【図６】金型９０１の正面図である。
【図７】延伸処理における検査チップ２Ａの状態遷移図である。
【図８】図５に示す断面の変形例を示す図である。
【図９】検査チップ体１０２の正面図である。
【図１０】図９のＢ−Ｂ線矢視方向部分断面図である。
【図１１】検査チップ体１０３の斜視図である。
【図１２】検査チップ体１０３の正面図である。
【図１３】検査チップ体１０３の背面図である。
【図１４】検査チップ体１０４の斜視図である。
【図１５】検査チップ体１０４の正面図である。
【発明を実施するための形態】
【００１８】
本発明を具体化した第一実施形態について、図面を参照して説明する。尚、図１は、検査システム３を構成する検査装置１の平面及び制御装置９０の内部の機能ブロックを示している。
【００１９】
＜１．検査システム３の概略構造＞
本発明の第一実施形態を説明する。図１を参照して、検査システム３の概略構造について説明する。本実施形態の検査システム３は、液体である検体及び試薬を収容可能な検査チップ２と、検査チップ２を用いて検査を行う検査装置１とを含む。検査装置１が検査チップ２から離間した垂直軸線Ａ１を中心として検査チップ２を回転させると、遠心力が検査チップ２に作用する。検査装置１が水平軸線Ａ２を中心に検査チップ２を回転させると、検査チップ２に作用する遠心力の方向である遠心方向が切り替えられる。尚、本実施形態の検査システム３及び検査装置１は、特開２０１２−７８１０７号公報に記載されているように周知の構造であるので、以下の説明では、検査装置１の構造の概略について説明する。
【００２０】
＜２．検査装置１の構造＞
図１を参照して、検査装置１の構造について説明する。以下の説明では、図１の上方、下方、右方、左方、紙面手前側、及び紙面奥側を、夫々、検査装置１の前方、後方、右方、左方、上方、及び下方とする。本実施形態では、垂直軸線Ａ１の方向は検査装置１の上下方向であり、水平軸線Ａ２の方向は、検査チップ２が垂直軸線Ａ１を中心として回転される際の速度の方向である。なお、図１は検査装置１の上部筐体３０の天板が取り除かれた状態を示す。
【００２１】
図１に示すように、検査装置１は、上部筐体３０、下部筐体３１、上板３２、ターンテーブル３３、角度変更機構３４、及び制御装置９０を備える。ターンテーブル３３は、後述する上板３２の上側に回転可能に設けられた円盤である。検査チップ２は、ターンテーブル３３の上方に保持される。角度変更機構３４は、ターンテーブル３３に設けられた駆動機構である。この角度変更機構３４は、水平軸線Ａ２を中心に検査チップ２を各々回転させる。上部筐体３０は、後述する上板３２に固定されており、検査チップ２に対して光学測定を行う測定部７が内部に設けられている。制御装置９０は、検査装置１の各種処理を制御するコントローラである。
【００２２】
下部筐体３１の概略構造を説明する。下部筐体３１は、枠部材を組み合わせた箱状のフレーム構造を有する。下部筐体３１の上面には、長方形の板材である上板３２が設けられている。下部筐体３１の内部には、垂直軸線Ａ１を中心にターンテーブル３３を回転させる駆動機構が、次のように設けられている。
【００２３】
下部筐体３１内の左方寄りに、ターンテーブル３３を回転させるための駆動力を供給する主軸モータ３５が設置されている。主軸モータ３５の軸３６は、上方に突出しており、プーリ３７が固定されている。下部筐体３１の中央部には、下部筐体３１の内部から上方に延びる垂直な主軸５７が設けられている。主軸５７は、上板３２を貫通して、下部筐体３１の上側に突出している。主軸５７の上端部は、ターンテーブル３３の中央部に接続されている。
【００２４】
主軸５７は、上板３２の直下に設けられた図示しない支持部材により、回転自在に保持されている。支持部材の下側では、主軸５７にプーリ３８が固定されている。プーリ３７とプーリ３８とに亘って、ベルト３９が掛け渡されている。主軸モータ３５が軸３６を回転させると、プーリ３７、ベルト３９、及びプーリ３８を介して駆動力が主軸５７に伝達される。このとき、主軸５７の回転に連動して、ターンテーブル３３が主軸５７を中心に回転する。
【００２５】
下部筐体３１内の右方寄りに、下部筐体３１の内部において上下方向に延びる図示しないガイドレールが設けられている。図示しないＴ型プレートは、ガイドレールに沿って下部筐体３１内において上下方向に移動可能である。
【００２６】
先述の主軸５７は、内部が中空の筒状体である。図示しない内軸は、主軸５７の内部において上下方向に移動可能な軸である。内軸の上端部は、主軸５７内を貫通してラックギア４３に接続されている。Ｔ型プレートの左端部には、図示しない軸受が設けられている。軸受の内部では、内軸の下端部が回転自在に保持される。
【００２７】
Ｔ型プレートの前方には、Ｔ型プレートを上下動させるためのステッピングモータ５１が固定されている。ステッピングモータ５１の軸５８は後方、すなわち図１では下方側に向けて突出している。軸５８の先端には、図示しない円盤状のカム板が固定されている。カム板の後側の面には、図示しない円柱状の突起が設けられている。突起の先端部は、図示しない溝部に挿入されている。突起は、溝部内を摺動可能である。ステッピングモータ５１が軸５８を回転させると、カム板の回転に連動して突起が上下動する。このとき、溝部に挿入されている突起に連動して、Ｔ型プレートがガイドレールに沿って上下動する。
【００２８】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸に固定された図示しないラックギア４３が設けられている。ラックギア４３は、上下方向に長い金属製の板状部材であり、両端面にギアが各々刻まれている。
【００２９】
各Ｌ型プレート６０の延設方向の先端側では、ギア４５を有する水平な支軸４６が回転自在に軸支されている。支軸４６の先端には、装着用ホルダ４０が固定されている。装着用ホルダ４０の上面が開口した箱状であり、上方から検査チップ２が配置される。図１に示す例では、２つの装着用ホルダ４０は垂直軸線Ａ１を中心として左右方向に離間し、前後方向にずれている。支軸４６は装着用ホルダ４０を介して検査チップ２に固定されている。このため、ギア４５の回転に連動して検査チップ２も支軸４６を中心に回転する。ギア４５とラックギア４３との間には、Ｌ型プレート６０により図示略の水平軸線を中心に回転自在に支持されたピニオンギア４４が介在している。ピニオンギア４４は、ギア４５及びラックギア４３に夫々噛合している。ラックギア４３の上下動に連動して、ピニオンギア４４、及びギア４５が夫々従動回転し、ひいては検査チップ２が支軸４６を中心に回転する。
【００３０】
本実施形態では、主軸モータ３５がターンテーブル３３を回転駆動するのに伴って、検査チップ２が垂直軸である主軸５７を中心に回転して、検査チップ２に遠心力が作用される。検査チップ２の垂直軸線Ａ１を中心とした回転を、公転と呼ぶ。一方、ステッピングモータ５１が内軸を上下動させるのに伴って、検査チップ２が水平軸である支軸４６を中心に回転して、検査チップ２に作用する遠心力の方向が相対変化する。検査チップ２の水平軸線Ａ２を中心とした回転を、自転と呼ぶ。
【００３１】
Ｔ型プレートが可動範囲の最下端まで下降した状態では、ラックギア４３も可動範囲の最下端まで下降する。このとき、検査チップ２は、自転角度が０度の定常状態になる。また、Ｔ型プレートが可動範囲の最上端まで上昇した状態では、ラックギア４３も可動範囲の最上端まで上昇する。このとき、検査チップ２は、定常状態から水平軸線Ａ２を中心に１８０度回転した状態になる。つまり、本実施形態では検査チップ２が自転可能な角度幅は、自転角度０度〜１８０度である。
【００３２】
上部筐体３０の詳細構造を説明する。図１に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００３３】
上部筐体３０の内部に設けられた測定部７は、測定光を発光する光源７１と、光源７１から発せられた測定光を検出する光センサ７２とを有する。光源７１及び光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の前面及び後面に対して略垂直に交差する。
【００３４】
＜３．制御装置９０の電気的構成＞
図１を参照して、制御装置９０の電気的構成について説明する。制御装置９０は、検査装置１の主制御を司るＣＰＵ９１と、各種データを一時的に記憶するＲＡＭ９２と、制御プログラムを記憶したＲＯＭ９３とを有する。ＣＰＵ９１には、ユーザが制御装置９０に対する指示を入力するための操作部９４と、各種データ、及びプログラムを記憶するハードディスク装置９５と、各種情報を表示するディスプレイ９６とが接続されている。制御装置９０としては、パーソナルコンピュータを用いてもよいし、専用の制御装置を用いてもよい。
【００３５】
さらに、ＣＰＵ９１には、公転コントローラ９７、自転コントローラ９８、及び測定コントローラ９９が接続されている。公転コントローラ９７は、主軸モータ３５を回転駆動させる制御信号を主軸モータ３５に送信することによって、検査チップ２の公転を制御する。自転コントローラ９８は、ステッピングモータ５１を回転駆動させる制御信号をステッピングモータ５１に送信することによって、検査チップ２の自転を制御する。測定コントローラ９９は、測定部７を駆動することによって、検査チップ２の光学測定を実行する。詳細には、測定コントローラ９９は、光源７１の発光、及び光センサ７２の光検出を実行させる制御信号を、光源７１及び光センサ７２に送信する。尚、ＣＰＵ９１が公転コントローラ９７、自転コントローラ９８及び測定コントローラ９９を制御する。
【００３６】
＜４．検査チップ２の構造＞
図２〜図６を参照して、本実施形態に係る検査チップ体１０１及び検査チップ２の詳細構造を説明する。以下の説明では、図２の上方、下方、右下方、左上方、左下方、及び右上方を、夫々、検査チップ体１０１及び検査チップ２の上方、下方、前方、後方、左方、及び右方とする。
【００３７】
図２〜図４に示すように、検査チップ体１０１は、所定の厚みを有する透明な合成樹脂の板材２０を主体とする。検査チップ体１０１は、２つの検査チップ２と分配部８０とを備える。後述するが、分配部８０により試薬が２つの検査チップ２に注入された後、２つの検査チップ２から分配部８０が切り離される。２つの検査チップ２は、左右方向に互いに離間している。以下の説明では、左側の検査チップ２を検査チップ２Ａといい、右側の検査チップ２を検査チップ２Ｂという。分配部８０、及び２つの検査チップ２Ａ、２Ｂは、１つの板材２０からなる。板材２０のうち、検査チップ２Ａを形成する部位を第一壁部２０１という。板材２０のうち、検査チップ２Ｂを形成する部位を第二壁部２０２という。
【００３８】
図２及び図３に示すように、検査チップ２Ａ，２Ｂは、前方から見た場合に正方形状である。分配部８０は、検査チップ２Ａ，２Ｂの夫々の左上部に接続されている。分配部８０と検査チップ２Ａ，２Ｂには、検査チップ体１０１に配置された液体が流動可能な液体流路２５が形成されている。液体流路２５は、板材２０の前面側及び後面側に所定深さに形成された凹部であり、板材２０の厚み方向である前後方向と直交する方向に延びる。
【００３９】
液体流路２５は、導入口８０１，８０２、第一注入流路８１１，８１２、第二注入流路８２１，８２２、第一注入口１４１，１４２、第二注入口１５１，１５２、検体定量流路１１、試薬定量流路１３，１５、及び測定部７５等を含む。
【００４０】
検査チップ２Ａの左上部には、左右方向に並ぶ第一注入口１４１，１４２が形成されている。第一注入口１４２は、第一注入口１４１の右側に位置している。検査チップ２Ｂの左上部には、左右方向に並ぶ第二注入口１５１，１５２が形成されている。第二注入口１５２は、第二注入口１５１の右側に位置している。第一注入口１４１，１４２は、夫々、第一試薬１８、第二試薬１９が検査チップ２Ａに注入される入口である。第二注入口１５１，１５２は、夫々、第一試薬１８、第二試薬１９が検査チップ２Ｂに注入される入口である。
【００４１】
第一壁部２０１の前面を第一面２１１といい、第一面２１１に対向する後面を第二面２１２という。第二壁部２０２の前面を第三面２１３といい、第三面２１３に対向する後面を第四面２１４という。すなわち、図３には第一面２１１、及び第三面２１３が図示されており、図４には第二面２１２、及び第四面２１４が図示されている。第一注入口１４１，１４２は、第一面２１１側から、第二面２１２に向かって凹んで形成されている。第二注入口１５１，１５２は、第三面２１３側から、第四面２１４に向かって凹んで形成されている。以下の説明では、第一注入口１４１，１４２が並ぶ左右方向を「第一方向」という場合がある。第二注入口１５１，１５２が並ぶ左右方向を「第二方向」という場合がある。
【００４２】
分配部８０は、導入口８０１，８０２、延伸部８０３，８０４、第一注入流路８１１，８１２、第二注入流路８２１，８２２等を備えている。導入口８０１，８０２は、検査チップ２Ａの右端部の上方に位置している。導入口８０２は、導入口８０１の右側に設けられている。導入口８０１，８０２は、分配部８０の前面において矩形状に開口している。導入口８０２は、分配部８０の前面から後面に貫通している。導入口８０１，８０２は、夫々、第一試薬１８、第二試薬１９が検査チップ体１０１に導入される開口部である。
【００４３】
導入口８０１，８０２から、延伸部８０３が左下方に延び、延伸部８０４が右下方に延びる。延伸部８０３は第一壁部２０１に接続されている。延伸部８０４は第二壁部２０２に接続されている。延伸部８０３には、第一注入流路８１１，８１２が設けられている。第一注入流路８１１は、導入口８０１と第一注入口１４１とを連通する。第一注入流路８１１は、分配部８０の前面側に設けられている。第一注入流路８１２は、導入口８０２と第一注入口１４２とを連通する。図４に示すように、第一注入流路８１２は、分配部８０の後面側において導入口８０２から左下方に延びる。図３に示すように、第一注入流路８１２の左下部は、前斜め下方に延びて分配部８０の前面側に繋がり、第一注入口１４２に繋がる。
【００４４】
延伸部８０４には、第二注入流路８２１，８２２が設けられている。第二注入流路８２１は、導入口８０２と第二注入口１５１とを連通する。第二注入流路８２１は、分配部８０の前面側に設けられている。第二注入流路８２２は、導入口８０２と第二注入口１５２とを連通する。図４に示すように、第二注入流路８２２は、分配部８０の後面側において導入口８０２から右下方に延びる。図３に示すように、第二注入流路８２２の右下部は、前斜め下方に延びて分配部８０の前面側に繋がり、第二注入口１５２に繋がる。
【００４５】
図２、図４、及び図５に示すように、第一壁部２０１と分配部８０との第一接続部８７Ａには、切込部８９１が設けられている。図４に示すように、切込部８９１は、上下方向において、第一注入口１４１，１４２の上側に位置している。切込部８９１は、第二面２１２側の面である後面に、第一方向に沿って形成されている。切込部８９１は、板材２０の後面から前面に向かって凹んでいる。第二壁部２０２と分配部８０との第二接続部８７Ｂには、切込部８９２が設けられている。切込部８９２は、第四面２１４側の面である後面に、第二方向に沿って形成されている。切込部８９１は、板材２０の後面から前面に向かって凹んでいる。図２においては、切込部８９１，８９２は、左側面視において上側の辺が前斜め下方に傾いた矩形状の切り込みである。なお、切込部８９１，８９２の左側面視における形状は、例えば正方形、三角形、円弧など、他の形状でもよい。
【００４６】
検査チップ２Ａの構成について詳述する。検査チップ２Ａは、第一注入口１４１，１４２、検体定量流路１１、試薬定量流路１３，１５、及び測定部７５を含む。図２及び図３に示すように、試薬定量流路１３は、検査チップ２の第一面２１１側の左上部に設けられている。検体定量流路１１は、試薬定量流路１３の右側に設けられている。図４に示すように、試薬定量流路１５は、検査チップ２Ａの第二面２１２側に設けられている。
【００４７】
検体定量流路１１及び試薬定量流路１３、１５に共通する構成について説明する。図２〜図４に示すように、検体定量流路１１及び試薬定量流路１３，１５は、夫々、保持部１１１、入口１１９、供給部１１２、定量部１１４、第一案内部１１５、第二案内部１１７、及び余剰部１１６を含む。保持部１１１は、検体１７、第一試薬１８、又は第二試薬１９を保持する部位である。試薬定量流路１３の保持部１１１は、第一注入口１４１に繋がる。試薬定量流路１３の保持部１１１は、第一注入口１４１から注入された第一試薬１８を保持する。試薬定量流路１３の保持部１１１は、左辺部２３から右上方に延びる保持部壁面１１８と、左辺部２３との間に形成されている。試薬定量流路１３の保持部壁面１１８の先端と、上辺部２１との間には、保持部１１１に対して第一注入口１４１とは反対側の流路に繋がる入口１１９が形成されている。試薬定量流路１３において、第一注入口１４１から保持部１１１に向かう第三方向である下方向は、保持部１１１から入口１１９に向かう第四方向である右方向と交差する。
【００４８】
図４に示すように、検査チップ２Ａの後面側に形成された試薬定量流路１５の保持部１１１は、検査チップ２Ａの前面側の第一注入口１４２に繋がる。試薬定量流路１５の保持部１１１は、第一注入口１４２から注入された第二試薬１９を保持する。試薬定量流路１５の保持部１１１は、左辺部２３から右上方に延びる保持部壁面１１８と、左辺部２３との間に形成されている。試薬定量流路１５の保持部壁面１１８の先端と、上辺部２１との間には、保持部１１１に対して第一注入口１４２とは反対側の流路に繋がる入口１１９が形成されている。試薬定量流路１５において、第一注入口１４２から保持部１１１に向かう第三方向である下方向は、保持部１１１から入口１１９に向かう第四方向である右方向と交差する。
【００４９】
図２及び図３に示すように、検体定量流路１１の保持部１１１は、検査チップ２Ａの上方に開口する開口部１２０を備えている。検体定量流路１１の保持部１１１は、開口部１２０から注入された検体１７を保持する。検体定量流路１１の保持部１１１は、左右方向中央の壁部１２１から右上方に延びる保持部壁面１１８と、壁部１２１との間に形成されている。試薬定量流路１５の保持部壁面１１８の先端と、上辺部２１との間には、保持部１１１に対して開口部１２０とは反対側の流路に繋がる入口１１９が形成されている。検体１７は、例えば、血液、血漿、血球、骨髄、尿、膣組織、上皮組織、腫瘍、精液、唾液、又は食料品などの成分を含む液体である。以下の説明では、検体１７、第一試薬１８、及び第二試薬１９を総称する場合、又はいずれかを特定しない場合、液体１６という場合がある。
【００５０】
図２〜図４に示すように、検体定量流路１１及び試薬定量流路１３，１５において、入口１１９は、供給部１１２に繋がっている。供給部１１２は、入口１１９から下方向に延びる。供給部１１２の下方には、定量部１１４が設けられている。定量部１１４は、液体１６が定量される部位であり、左下方に凹む凹部である。
【００５１】
定量部１１４の上部から、第一案内部１１５が右方向に延び、第二案内部１１７が左方向に延びる。第二案内部１１７は、定量部１１４から溢れた液体１６が移動する流路である。第二案内部１１７は、定量部１１４の左上端部から左方に延びた後、下方に延びる。定量部１１４の左下方には、余剰部１１６が設けられている。余剰部１１６は、第二案内部１１７の下端部に接続されている。余剰部１１６は、第二案内部１１７を移動した液体１６が収容される部位であり、第二案内部１１７の下端部から右方向に設けられた凹部である。
【００５２】
第一案内部１１５は、定量部１１４において定量された液体１６が移動する流路である。第一案内部１１５は、右方向に延びた後、下方に延びる。第一案内部１１５の下端は、検査チップ２の前面側の右下部に設けられた測定部７５に繋がっている。測定部７５は、下方に凹む凹部である。後述する光学測定が行われる際には、測定部７５に測定光が透過される。
【００５３】
検査チップ２Ｂは、検査チップ２Ａと同様に、検体定量流路１１及び試薬定量流路１３，１５を備えている。検体定量流路１１及び試薬定量流路１３，１５の構成は検査チップ２Ａと同様である。なお、検査チップ２Ｂでは、試薬定量流路１３の保持部１１１は、第二注入口１５１に繋がる。試薬定量流路１３の保持部１１１は、第二注入口１５１から注入された第一試薬１８を保持する。入口１１９は、保持部１１１に対して第二注入口１５１とは反対側の流路に繋がる。第二注入口１５１から保持部１１１に向かう第五方向である下方向は、保持部１１１から入口１１９に向かう第六方向である右方向と交差する。
【００５４】
また、検査チップ２Ｂでは、試薬定量流路１５の保持部１１１は、第二注入口１５２に繋がる。試薬定量流路１５の保持部１１１は、第二注入口１５２から注入された第二試薬１９を保持する。入口１１９は、保持部１１１に対して第二注入口１５２とは反対側の流路に繋がる。第二注入口１５２から保持部１１１に向かう第五方向である下方向は、保持部１１１から入口１１９に向かう第六方向である右方向と交差する。
【００５５】
図３及び図４に示すように、検査チップ体１０２は、透明な合成樹脂製の薄板であるシート２９１〜２９６を備えている。なお、図２においては、シート２９１〜２９６の図示を省略している。図３に示すように、シート２９１は、分配部８０の前面に設けられ、第一注入流路８１１，８１２、及び第二注入流路８２１，８２２の少なくとも一部を覆う。本実施形態においては、シート２９１は、第一注入流路８１１，８１２、及び第二注入流路８２１，８２２の全体を覆っている。シート２９１の上端３００は、導入口８０１及び導入口８０２の下側に位置している。シート２９１は、延伸部８０３の前面に沿って左下方に延びる。シート２９１は、延伸部８０４の前面に沿って右下方に延びる。
【００５６】
シート２９２は、検査チップ２Ａの前面全体に設けられ、検査チップ２Ａに形成された検体定量流路１１及び試薬定量流路１３を覆う。シート２９１とシート２９２とは、境目３０１において繋がっている。境目３０１にはミシン目が左右方向に設けられている。
【００５７】
シート２９３は、検査チップ２Ｂの前面全体に設けられ、検査チップ２Ｂに形成された検体定量流路１１及び試薬定量流路１３を覆う。シート２９１とシート２９３とは、境目３０２において繋がっている。境目３０２にはミシン目が左右方向に設けられている。
【００５８】
図４に示すように、シート２９４は、分配部８０の後面全体に設けられ、第一注入流路８１１，８１２、及び第二注入流路８２１，８２２の少なくとも一部を覆う。本実施形態においては、シート２９４は、導入口８０２、第一注入流路８１１，８１２、及び第二注入流路８２１，８２２の全体を覆っている。シート２９５は、検査チップ２Ａの後面全体に設けられ、検査チップ２Ａに形成された試薬定量流路１５を覆う。シート２９４とシート２９５とは、境目３０３において繋がっている。境目３０３にはミシン目が左右方向に設けられている。
【００５９】
シート２９６は、検査チップ２Ｂの後面全体に設けられ、検査チップ２Ｂに形成された試薬定量流路１５を覆う。シート２９４とシート２９６とは、境目３０４において繋がっている。境目３０４にはミシン目が左右方向に設けられている。
【００６０】
図２及び図３に示すように、境目３０１，３０３は、第一接続部８７Ａにおける切込部８９１の下端の前後方向に位置している。すなわち、シート２９１とシート２９２とは、切込部８９１において互いに別体である。シート２９４とシート２９５とは、切込部８９１において互いに別体である。境目３０２，３０４は、第二接続部８７Ｂにおける切込部８９２の下端の前後方向に位置している。すなわち、シート２９１とシート２９３とは、切込部８９２において互いに別体である。シート２９４とシート２９６とは、切込部８９２において互いに別体である。
【００６１】
＜５．検査チップ２のその他構造＞
図１に示すように、Ｌ型プレート６０から延びる支軸４６は、装着用ホルダ４０を介して検査チップ２の後面中央に垂直に連結される。支軸４６の回転に伴って、検査チップ２が支軸４６を中心に自転する。検査チップ２は図２及び図３に示す定常状態である場合、上辺部２１及び下辺部２４が重力Ｇの方向と直交し、右辺部２２及び左辺部２３が重力Ｇの方向と平行、且つ、左辺部２３が右辺部２２よりも主軸５７側に配置される。定常状態の検査チップ２が測定位置に配置されている状態において、光源７１と光センサ７２とを結ぶ測定光を測定部７５に通過させることで、検査装置１は光学測定による検査を行う。
【００６２】
＜６．検査チップ体１０１の製造＞
検査チップ体１０１の製造方法について説明する。図６に示すように、検査チップ体１０１は、立方体状の金型９０１が使用されて射出成形される。金型９０１は、検査チップ体１０１の形状に対応した空間９０３と、空間９０３に繋がる材料注入口９０２とを備えている。材料注入口９０２は、検査チップ２Ａにおける第一注入口１４１，１４２が設けられる上面とは反対側の下面と、検査チップ２Ｂにおける第二注入口１５１，１５２が設けられる上面とは反対側の下面との２つの面とは異なる部位に設けられる。本実施形態においては一例として、材料注入口９０２は、第一接続部８７Ａの左側と、検査チップ２Ｂの右上端部の右側とに設けられている。板材２０を形成するための透明な合成樹脂が材料注入口９０２から空間９０３に注入されることで、検査チップ体１０１が製造される。なお、金型９０１による成形後の製造後の検査チップ体１０１には、材料注入口９０２の形状に対応するゲート部位が形成されるが、円柱状の部位は切断される。検査チップ体１０１には、切断された部位に凸状の跡ができる。
【００６３】
＜７．検査方法の一例＞
検査方法の一例について説明する。第一試薬１８が導入口８０１から検査チップ体１０１に導入される。分配部８０は、導入口８０１に導入された第一試薬１８を検査チップ２Ａ，２Ｂの夫々に分配する。より詳細には、導入口８０１に導入された第一試薬１８は、毛管力及び重力などの引力により、第一注入流路８１１と第二注入流路８２１に分かれて流れる。図３の矢印７０１に示すように、第一注入流路８１１を流れる第一試薬１８は、第一注入口１４１から検査チップ２Ａに注入される。検査チップ２Ａに注入された第一試薬１８は、検査チップ２Ａの試薬定量流路１３の保持部１１１に保持される。図３の矢印７０２に示すように、第二注入流路８２１を流れる第一試薬１８は、第二注入口１５１から検査チップ２Ｂに注入される。検査チップ２Ｂに注入された第一試薬１８は、検査チップ２Ｂの試薬定量流路１３の保持部１１１に保持される。
【００６４】
第二試薬１９が導入口８０２から検査チップ体１０１に導入される。分配部８０は、導入口８０２に導入された第二試薬１９を検査チップ２Ａ，２Ｂの夫々に分配する。より詳細には、導入口８０２に導入された第二試薬１９は、毛管力及び重力などの引力により、第一注入流路８１２と第二注入流路８２２に分かれて流れる。図５の矢印７０３に示すように、第一注入流路８１２を流れる第二試薬１９は、図３に示す第一注入口１４２から検査チップ２Ａに注入される。図４に示すように、検査チップ２Ａに注入された第二試薬１９は、検査チップ２Ａの試薬定量流路１５の保持部１１１に保持される。図４の矢印７０４に示すように、第二注入流路８２２を流れる第二試薬１９は、図３に示す第二注入口１５２から検査チップ２Ｂに注入される。図４に示すように、検査チップ２Ｂに注入された第二試薬１９は、検査チップ２Ｂの試薬定量流路１５の保持部１１１に保持される。
【００６５】
図３に示すように、検査チップ２Ａ，２Ｂの開口部１２０から検体１７が導入される。検体１７は、検査チップ２Ａ，２Ｂの検体定量流路１１の保持部１１１に保持される。切込部８９１，８９２において検査チップ体１０１が破断される。これによって、２つの検査チップ２Ａ，２Ｂが分配部８０から分離される。図７（Ａ）は、分配部８０から分離された後の検査チップ２Ａを示している。検査チップ体１０１は、ユーザによって破断されてもよいし、図示されない装置によって破断されてもよい。
【００６６】
検査チップ２Ａ，２Ｂが装着用ホルダ４０に取り付けられて、制御装置９０に処理開始のコマンドが入力されると、以下の測定動作が実行される。なお、検査装置１は二つの検査チップ２Ａ，２Ｂを同時に検査可能であるが、以下では説明の便宜のため、１つの検査チップ２Ａを検査する手順を説明する。以下の説明では、図７（Ａ）に示す検査チップ２Ａの定常状態を自転角度０度とし、定常状態から９０度反時計回りに回転した状態を自転角度９０度とする。
【００６７】
まず、ＣＰＵ９１の指示に基づき、公転コントローラ９７が主軸モータ３５を制御してターンテーブル３３の駆動を開始する。この結果、自転角度が０度の検査チップ２Ａが公転する。本実施形態においては、検査チップ２Ａが公転される場合、検査チップ２Ａの前方向が公転の方向であるとする。ＣＰＵ９１の指示に基づき、公転コントローラ９７が主軸モータ３５を制御してターンテーブル３３の回転速度を上げる。回転速度が３０００ｒｐｍに達すると、主軸モータ３５はこの回転速度を保持する。尚、回転速度は、３０００ｒｐｍに限られず、他の回転速度でもよい。
【００６８】
図７（Ｂ）に示すように、左辺部２３から右辺部２２に向けて、検査チップ２Ａに遠心力Ｘが作用する。遠心力Ｘの作用によって検体１７、第一試薬１８、及び第二試薬１９は、夫々、保持部１１１から供給部１１２に移動する。なお、第二試薬１９が移動する試薬定量流路１５の図示は省略している。
【００６９】
次いで、ＣＰＵ９１の指示に基づき、自転コントローラ９８がステッピングモータ５１を駆動制御することによって、図７（Ｃ）に示すように、公転中の検査チップ２Ａが前方からみて反時計回りに９０度自転される。この結果、上辺部２１から下辺部２４に向けて、検査チップ２Ａに遠心力が作用する。遠心力Ｘの作用によって、検体１７、第一試薬１８、及び第二試薬１９は、定量部１１４に供給される。定量部１１４において余った検体１７、第一試薬１８、及び第二試薬１９は、第二案内部１１７を介して余剰部１１６に流れる。このため、定量部１１４の容量分の検体１７、第一試薬１８、及び第二試薬１９が定量される。
【００７０】
次いで、ＣＰＵ９１の指示に基づき、自転コントローラ９８がステッピングモータ５１を駆動制御することによって、図７（Ｄ）に示すように、公転中の検査チップ２Ａが前方から見て時計回りに９０度自転される。これによって、検査チップ２Ａの自転角度が０度に設定される。この結果、左辺部２３から右辺部２２に向けて検査チップ２Ａに遠心力Ｘが作用する。検査チップ２Ａの自転角度が０度になると、検体１７、第一試薬１８、及び第二試薬１９は、第一案内部１１５を通って検査チップ２Ａの右部、すなわち、測定部７５及び測定部７５の上側に位置する流路に移動する。遠心力Ｘの作用によって、検体１７、第一試薬１８、及び第二試薬１９が混合された混合液２６が生成される。
【００７１】
次いで、ＣＰＵ９１の指示に基づき、自転コントローラ９８がステッピングモータ５１を駆動制御することによって、図７（Ｅ）に示すように、検査チップ２Ａが前方からみて反時計回りに９０度自転される。これによって、検査チップ２Ａの自転角度が９０度に設定される。この結果、上辺部２１から下辺部２４に向けて検査チップ２Ａに遠心力Ｘが作用する。遠心力Ｘの作用によって、混合液２６は、測定部７５に移動する。
【００７２】
図７には図示しないが、ＣＰＵ９１は自転コントローラ９８を制御し、ステッピングモータ５１を駆動する。ＣＰＵ９１は、自転角度０度まで検査チップ２Ａを回転させる。また、ＣＰＵ９１は公転コントローラ９７を制御し、主軸モータ３５の回転を停止する。故に、検査チップ２Ａの公転が終了する。遠心処理は終了される。
【００７３】
遠心処理の実行後、ＣＰＵ９１は公転コントローラ９７を制御し、検査チップ２Ａを測定位置の角度まで回転移動させる。図１に示す測定コントローラ９９が光源７１を発光させると、測定光が測定部７５に貯溜された混合液２６を通る。ＣＰＵ９１は光センサ７２が受光した測定光の変化量に基づいて、混合液２６の光学測定を行い、測定データを取得する。ＣＰＵ９１は、取得された測定データに基づいて、混合液２６の測定結果を算出する。測定結果に基づく混合液２６の検査結果が、図１に示すディスプレイ９６に表示される。なお、混合液２６の測定方法は、光学測定に限られず、他の方法でもよい。
【００７４】
＜８．第一実施形態の主たる作用・効果＞
以上のように本実施形態における検査チップ体１０１が形成され、光学測定が実行される。本実施形態においては、分配部８０は、第一壁部２０１と第二壁部２０２とに接続されている。すなわち、検査チップ体１０１においては、検査チップ２Ａ，２Ｂ及び分配部８０が一体に形成されている。このため、分配部８０と検査チップ２Ａとの間、及び分配部８０と検査チップ２Ｂとの間に隙間が生じにくい。よって、第一試薬１８及び第二試薬１９を検査チップ２Ａ，２Ｂに注入する場合に、第一試薬１８及び第二試薬１９が隙間から検査チップ体１０１の外部に漏れる可能性を低減できる。
【００７５】
また、第一試薬１８及び第二試薬１９が検査チップ２Ａ，２Ｂに注入された後には、切込部８９１，８９２において検査チップ体１０１を破断することができる。よって、ユーザは検査チップ２Ａ，２Ｂを互いに切り離すことができる。このとき、境目３０１〜３０４に設けられたミシン目において、シート２９１〜２９６が夫々分離される。
【００７６】
シート２９１とシート２９２とは、切込部８９１において互いに別体である。シート２９４とシート２９５とは、切込部８９１において互いに別体である。シート２９１とシート２９３とは、切込部８９２において互いに別体である。シート２９４とシート２９６とは、切込部８９２において互いに別体である。このため、分配部８０及び検査チップ２Ａ，２Ｂを切込部８９１，８９２において互いに切り離す場合に、シート２９１〜２９６が切り離し動作を阻害しにくい。故に、ユーザは、検査チップ２Ａ，２Ｂから分配部８０を容易に切り離すことができる。
【００７７】
また、第一接続部８７Ａ側の切込部８９１が、第一注入口１４１，１４２が並ぶ第一方向に沿って設けられている。このため、第一接続部８７Ａ側の切込部８９１において分配部８０と検査チップ２Ａとが互いに切り離される場合には、第一方向と直交する前後方向に破断される。よって、分配部８０と検査チップ２Ａとが互いに切り離されたとき、第一注入口１４１，１４２に接続されていた第一注入流路８１１，８１２は、夫々、第一注入口１４１，１４２に対して第一方向と直交する前後方向に移動する。故に、第一注入口１４１に接続されていた第一注入流路８１１は、第一注入口１４１に対して第一方向側に位置する第一注入口１４２上を通過しにくい。よって、第一注入流路８１１に付着した第一試薬１８が落下し、第一注入口１４２に混入する可能性を低減できる。同様に、第一注入口１４２に接続されていた第一注入流路８１２は、第一注入口１４２に対して第一方向側に位置する第一注入口１４１上を通過し難い。よって、第一注入流路８１２に付着した第二試薬１９が落下し、第一注入口１４１に混入する可能性を低減できる。
【００７８】
また、第二接続部８７Ｂ側の切込部８９２が、第二注入口１５１，１５２が並ぶ第二方向に沿って設けられている。このため、第二接続部８７Ｂ側の切込部８９２において分配部８０と検査チップ２Ｂとが互いに切り離される場合には、第二方向と直交する前後方向に破断される。よって、分配部８０と検査チップ２Ｂとが互いに切り離されたとき、第二注入口１５１，１５２に接続されていた第二注入流路８２１，８２２は、夫々、第二注入口１５１，１５２に対して第二方向と直交する前後方向に移動する。故に、第二注入口１５１に接続されていた第二注入流路８２１は、第二注入口１５１に対して第二方向側に位置する第二注入口１５２上を通過しにくい。よって、第二注入流路８２１に付着した第一試薬１８が落下し、第二注入口１５２に混入する可能性を低減できる。同様に、第二注入口１５２に接続されていた第二注入流路８２２は、第二注入口１５２に対して第二方向側に位置する第二注入口１５１上を通過し難い。よって、第二注入流路８２２に付着した第二試薬１９が落下し、第二注入口１５１に混入する可能性を低減できる。
【００７９】
また、第一注入口１４１，１４２は、第一面２１１側に複数設けられ、第一方向に並ぶ。このため、第一注入口１４１，１４２が形成されることによって前後方向の厚みが小さくなる図５に示す部位２０３，２０４が第一方向である左右方向に並ぶ。また、第一接続部８７Ａ側の切込部８９１は、第一方向に沿って第二面２１２側の面である後面に設けられている。このため、部位２０３，２０４の前後方向の厚みがさらに小さくなる。部位２０３，２０４の厚みが小さくなるので、検査チップ２Ａは、切込部８９１において分配部８０から切り離し易い。また、第二注入口１５１，１５２は、第三面２１３側に複数設けられ、第二方向に並ぶ。このため、図示しないが、第一壁部２０１の場合と同様に、第二注入口１５１，１５２が形成されることによって前後方向の厚みが小さくなる２つの部位が第二方向に並ぶ。また、第二接続部８７Ｂ側の切込部８９２は、第二方向に沿って第四面２１４側の面である後面に設けられている。よって、２つの部位の前後方向の厚みがさらに小さくなる。２つの部位の厚みが小さくなるので、検査チップ２Ｂは、切込部８９１において分配部８０から切り離し易い。
【００８０】
また、検査チップ２Ａの試薬定量流路１３，１５において、第一注入口１４１，１４２から保持部１１１に向かう第三方向である下方向は、保持部１１１から入口１１９に向かう第四方向である右方向と交差する。第三方向と第四方向とが交差するため、第一注入口１４１，１４２から保持部１１１に流入した第一試薬１８及び第二試薬１９が、保持部１１１より下流側に位置する入口１１９から流出する可能性を低減できる。また、検査チップ２Ａの試薬定量流路１３，１５において、第二注入口１５１，１５２から保持部１１１に向かう第五方向である下方向は、保持部１１１から入口１１９に向かう第六方向である右方向と交差する。第五方向と第六方向とが交差するため、第二注入口１５１，１５２から保持部１１１に流入した第一試薬１８及び第二試薬１９が、保持部１１１より下流側に位置する入口１１９から流出する可能性を低減できる。このため、第一試薬１８及び第二試薬１９が入口１１９から下流側に流出することで、定量部１１４において定量される量より第一試薬１８及び第二試薬１９の量が増加し、検査精度が低下する可能性を低減できる。
【００８１】
また、金型９０１の材料注入口９０２は、検査チップ２Ａにおける第一注入口１４１，１４２が設けられる上面とは反対側の下面と、検査チップ２Ｂにおける第二注入口１５１，１５２が設けられる上面とは反対側の下面との２つの面とは異なる部位に設けられる。第一接続部８７Ａ及び第二接続部８７Ｂは、検査チップ２Ａ，２Ｂの幅に比べて狭いので、材料注入口９０２からの第一接続部８７Ａ及び第二接続部８７Ｂまでの距離が長くなると、材料が行き渡り難くなる場合がある。この場合、第一接続部８７Ａと第二接続部８７Ｂとの間にある分配部８０、第一接続部８７Ａ、及び第二接続部８７Ｂに、例えば、ショートショットが発生する可能性がある。ショートショットが発生すると、シート２９１〜２９６と板材２０との間に隙間が発生し、正確な検査が出来なくなる可能性がある。本実施形態においては、材料注入口９０２は、検査チップ２Ａ，２Ｂの下面とは異なる部位に設けられる。よって、検査チップ２Ａ，２Ｂの下面の少なくとも一方に材料注入口９０２が設けられる場合に比べて、材料注入口９０２から第一接続部８７Ａ及び第二接続部８７Ｂまでの距離が短くなり、材料が行き渡り易くなる。よって、分配部８０、第一接続部８７Ａ、及び第二接続部８７Ｂにショートショットが発生する可能性を低減できる。故に、正確な検査を行うことができる。
【００８２】
本実施形態において、検査チップ２Ａは本発明の「第一検査チップ」の一例である。検査チップ２Ｂは本発明の「第二検査チップ」の一例である。検査チップ２Ａの保持部１１１は本発明の「第一保持部」の一例である。検査チップ２Ｂの保持部１１１は本発明の「第二保持部」の一例である。検査チップ２Ａにおける試薬定量流路１３，１５の入口１１９は本発明の「第一流路入口」の一例である。検査チップ２Ｂにおける試薬定量流路１３，１５における入口１１９は本発明の「第二流路入口」の一例である。シート２９１，２９４は本発明の「第一カバー」の一例である。シート２９２，２９５は本発明の「第二カバー」の一例である。シート２９３，２９６は本発明の「第三カバー」の一例である。
【００８３】
本発明は上記実施形態に限定されることなく、種々の変更が可能である。例えば、第一注入口１４１，１４２は少なくとも１つ設けられていればよく、例えば、１つでもよいし、３つ以上でもよい。第一注入口が３つ以上の場合、３つ以上の第一注入口が左右方向に並んでいてもよい。この場合、導入口８０１，８０２の数と３つ以上に増やしてもよい。同様に、第二注入口１５１，１５２は少なくとも１つ設けられていればよい。
【００８４】
また、導入口８０１，８０２から検査チップ体１０１に導入されるのは、検体１７であってもよい。また、切込部８９１，８９２は凹部であったが、これに限定されない。例えば、切込部８９１，８９２は、板材２０に設けられたミシン目によって形成されてもよい。ミシン目は、例えば、板材２０において左右方向に所定間隔に形成された前後方向の切れ目である。境目３０１〜３０４には、ミシン目が形成されていたが、これに限定されない。例えば、境目３０１〜３０４において、シート２９１〜２９６が互いに切り離されていてもよい。
【００８５】
また、材料注入口９０２の位置は、限定されず、例えば、検査チップ２Ａの下面、又は検査チップ２Ｂの下面に設けられていてもよい。また、検査チップ２Ａ，２Ｂの向きが同じであったが、これに限定されない。例えば、検査チップ２Ａの第一面２１１と検査チップ２Ｂの第三面２１３とが互いに異なる方向を向いていてもよい。
【００８６】
また、第一注入口１４１，１４２は、共に第一面２１１側に設けられていたが、これに限定されない。例えば、第一注入口１４１，１４２のうち、一方が第二面２１２側に設けられてもよい。図８に示す例では、図５に示す場合と異なり、第一注入口１４２が第二面２１２側に設けられている。この場合においても、第一注入口１４１，１４２は、左右方向である第一方向に並ぶ。また、第一注入口１４１の後方に切込部８９１１が形成され、第二注入口１５１の前側に切込部８９１２が形成されている。切込部８９１１，８９１２は、夫々、第一方向に沿って設けられている。
【００８７】
＜９．第二実施形態に係る検査チップ体１０２の構造＞
図９及び図１０を参照し、第二実施形態に係る検査チップ体１０２について説明する。第一実施形態に係る検査チップ体１０１と同様の機能を有する構成は同じ符号で示し、詳細な説明は省略する。検査チップ体１０２は、２つの検査チップ２と分配部８１との集合体である。２つの検査チップ２は、左右方向に互いに離間している。以下の説明では、左側の検査チップ２を検査チップ２Ｃといい、右側の検査チップ２を検査チップ２Ｄという。
【００８８】
検査チップ２Ｃ，２Ｄは、第一実施形態に係る検査チップ２Ａ，２Ｂと比較して、第一注入口１４１，１４２相互間の位置関係と、第二注入口１５１，１５２相互間の位置関係とが異なる。検査チップ２Ｃにおける２つの第一注入口１４１，１４２は、夫々、第一壁部２０１における対向する面である第一面２１１、第二面２１２に設けられている。図１０に示すように、２つの第一注入口１４１，１４２は、前後方向に互いに対向している。
【００８９】
検査チップ２Ｄにおける２つの第二注入口１５１，１５２は、夫々、第一壁部２０１における対向する面である第一面２１１、第二面２１２に設けられている。２つの第二注入口１５１，１５２は、前後方向に互いに対向している。なお、第二注入口１５１，１５２相互間の位置関係は、第一注入口１４１，１４２相互間の位置関係と同様なので、第二注入口１５２の図示は省略している。
【００９０】
図９に示す検査チップ体１０２においては第一注入口１４１，１４２が並ぶ前後方向が第一方向である。検査チップ体１０２においては第二注入口１５１，１５２が並ぶ前後方向が第二方向である。
【００９１】
分配部８１の導入口８０２は、導入口８０１の上側に配置されている。図１０に示すように、導入口８０２から第一注入口１４２に連通する第一注入流路８１２は、分配部８１の後面側を通って第一注入口１４２に繋がる。図示しないが、導入口８０２から第二注入口１５２に連通する第二注入流路８２２は、分配部８１の後面側を通って第二注入流路８２２に繋がる。
【００９２】
図９及び図１０に示すように、分配部８１と第一壁部２０１との第一接続部８７Ａ側には、２つの切込部８９３，８９４が形成されている。切込部８９３は、第一注入口１４１，１４２の左側において第一方向に沿って形成されている。切込部８９４は、第一注入口１４１，１４２の右側において第一方向に沿って形成されている。
【００９３】
図９に示すように、分配部８１と第二壁部２０２との第二接続部８７Ｂ側には、２つの切込部８９５，８９６が形成されている。切込部８９５は、第二注入口１５１，１５２の左側において第二方向に沿って形成されている。切込部８９６は、第二注入口１５１，１５２の右側において第二方向に沿って形成されている。なお、分配部８１の前面に設けられたシート２９１の上端３００は、導入口８０１の下側に位置している。
【００９４】
＜１０．第二実施形態の主たる作用・効果＞
以上のように、第二実施形態に係る検査チップ体１０２が形成される。第二実施形態においては、切込部８９３，８９４が、第一注入口１４１，１４２が並ぶ第一方向に沿って設けられている。このため、切込部８９３，８９４において分配部８１と検査チップ２Ｃとが互いに切り離される場合には、第一方向と直交する左右方向に破断される。よって、分配部８１と検査チップ２Ｃとが互いに切り離されたとき、第一注入口１４１，１４２に接続されていた第一注入流路８１１，８１２は、夫々、第一注入口１４１，１４２に対して第一方向と直交する左右方向に移動する。故に、第一注入口１４１に接続されていた第一注入流路８１１は、第一注入口１４１に対して第一方向側に位置する第一注入口１４２上を通過しにくい。よって、第一注入流路８１１に付着した第一試薬１８が落下し、第一注入口１４２に混入する可能性を低減できる。同様に、第一注入口１４２に接続されていた第一注入流路８１２は、第一注入口１４２に対して第一方向側に位置する第一注入口１４１上を通過し難い。よって、第一注入流路８１２に付着した第二試薬１９が落下し、第一注入口１４１に混入する可能性を低減できる。また、第二接続部８７Ｂ側の切込部８９５，８９６が、第二注入口１５１，１５２が並ぶ第二方向に沿って設けられている。このため、第二注入流路８２１に付着した第一試薬１８が落下し、第二注入口１５２に混入する可能性を低減できる。第二注入流路８２２に付着した第二試薬１９が落下し、第二注入口１５１に混入する可能性を低減できる。
【００９５】
第一接続部８７Ａ側の切込部８９３，８９４は、第一注入口１４１，１４２が並ぶ第一方向に沿って形成される。このため、第一注入口１４１，１４２が設けられる検査チップ２Ａの前面及び後面に左右方向の切込部が設けられる場合とは異なり、第一注入口１４１，１４２と、第一注入口１４１，１４２とが繋がる流路に切込部による段差が形成されない。よって、段差から第一試薬１８及び第二試薬１９が漏れる可能性を低減できる。また、第二接続部８７Ｂ側の切込部８９５，８９６は、第二注入口１５１，１５２が並ぶ第二方向に沿って形成される。このため、第二注入口１５１，１５２が設けられる検査チップ２Ｂの前面及び後面に左右方向の切込部が設けられる場合とは異なり、第二注入口１５１，１５２と、第二注入口１５１，１５２とが繋がる流路に切込部による段差が形成されない。よって、段差から第一試薬１８及び第二試薬１９が漏れる可能性を低減できる。
【００９６】
また、第一注入口１４１，１４２が第一壁部２０１における対向する第一面２１１及び第二面２１２に互いに対向して設けられている。このため、第一注入口１４１，１４２が第一壁部２０１における対向する第一面２１１及び第二面２１２において、互いに左右方向にずれて形成される場合に比べて、第一接続部８７Ａの左右方向の厚みを小さくすることができる。よって、切込部８９３，８９４において検査チップ体１０２を左右方向に破断し易い。同様に、第二注入口１５１，１５２が第二壁部２０２における対向する第三面２１３及び第四面２１４に互いに対向して設けられている。このため、第二注入口１５１，１５２が第二壁部２０２における対向する第三面２１３及び第四面２１４において、互いに左右方向にずれて形成される場合に比べて、第二接続部８７Ｂの左右方向の厚みを小さくすることができる。よって、切込部８９５，８９６において検査チップ体１０２を左右方向に破断し易い。
【００９７】
なお、切込部８９３，８９４のいずれか一方のみが設けられいてもよい。また、切込部８９５，８９６のいずれか一方のみが設けられていてもよい。
＜１１．第三実施形態に係る検査チップ体１０３の構造＞
図１１〜図１３を参照し、第三実施形態に係る検査チップ体１０３について説明する。第一実施形態に係る検査チップ体１０１又は第二実施形態に係る検査チップ体１０２と同様の機能を有する構成は同じ符号で示し、詳細な説明は省略する。検査チップ体１０３は、２つの検査チップ２と分配部８２との集合体である。２つの検査チップ２は、左右方向に互いに離間している。以下の説明では、左側の検査チップ２を検査チップ２Ｅといい、右側の検査チップ２を検査チップ２Ｆという。
【００９８】
検査チップ２Ｅ，２Ｆは、図９に示す検査チップ２Ｃ，２Ｄと略同様の構成であるが、向きが異なる。検査チップ２Ｅ，２Ｆは、第一注入口１４１，１４２が、夫々第二注入口１５１，１５２と左右方向に対向するように配置されている。検査チップ２Ｅと検査チップ２Ｆとの間に分配部８２が形成されている。
【００９９】
分配部８２は、左右方向の中央部に導入口８０１，８０２を備えている。導入口８０１は、導入口８０２の下側に設けられている。導入口８０１，８０２は、分配部８２の前面に開口している。後方に凹む導入口８０１の後側の面には、前方に突出する突出部８０７が上下方向に亘って設けられている。突出部８０７は前方に向かって尖っている。後方に凹む導入口８０２の後側の面には、前方に突出する突出部８０８が上下方向に亘って設けられている。突出部８０８は前方に向かって尖っている。
【０１００】
第一注入流路８１１及び第二注入流路８２１は、夫々、分配部８２の前面側を通って第一注入口１４１及び第二注入口１５１に連通している。図１３に示すように、第一注入流路８１２及び第二注入流路８２２は、夫々、分配部８３の後面側を通って第一注入口１４２及び第二注入口１５２に連通している。図１１及び図１３に示すように、分配部８３の後面側には、上下方向に延びる切込部８９７が設けられている。切込部８９７は、導入口８０１，８０２と前後方向に対向して形成されており、前方に向かって凹んでいる。
【０１０１】
また、図１２及び図１３に示すように、検査チップ体１０１の前面にはシート３１１，３１２が設けられ、後面にはシート３１３，３１４が設けられている。なお、図１１においては、シート３１３〜３１４の図示は省略している。図１２に示すように、シート３１１は、検査チップ２Ｅの前面全体と、第一注入流路８１１とを覆う。シート３１２は、検査チップ２Ｆの前面全体と、第二注入流路８２１とを覆う。図１３に示すように、シート３１３は、検査チップ２Ｅの後面全体と、第一注入流路８１２とを覆う。シート３１４は、検査チップ２Ｆの後面全体と、第二注入流路８２２とを覆う。シート３１１〜３１４は、切込部８９７の前後方向には設けられていない。
【０１０２】
第一試薬１８及び第二試薬１９は、夫々、導入口８０１，８０２から検査チップ体１０３に導入される。第一試薬１８は突出部８０７によって分流され、第一注入口１４１及び第二注入口１５１から検査チップ２Ｅ，２Ｆに注入される。第二試薬１９は突出部８０８によって分流され、第一注入口１４２及び第二注入口１５２から検査チップ２Ｅ，２Ｆに注入される。検査チップ体１０３は、分配部８２に設けられた切込部８９７において破断される。検査チップ体１０３が破断される場合、検査チップ２Ｅには、分配部８２の左半分が接続されている。また、検査チップ２Ｆには、分配部８２の右半分が接続されている。
【０１０３】
＜１２．第三実施形態の主たる作用・効果＞
以上のように、第三実施形態に係る検査チップ体１０３が形成される。検査チップ体１０３においては、切込部８９７は分配部８２に設けられているため、切込部８９７が第一接続部８７Ａと第二接続部８７Ｂとに形成されない。このため、切込部を配置するスペースを第一接続部８７Ａと第二接続部８７Ｂとに設ける必要がない。このため、切込部を配置するスペースを確保するために、第一注入口１４１，１４２と第二注入口１５１，１５２とが狭く形成される可能性を低減できる。故に、第一試薬１８及び第二試薬１９は、夫々、第一注入口１４１，１４２及び第二注入口１５１，１５２を介して検査チップ２Ｅ，２Ｆに流れ易い。
【０１０４】
また、第一注入流路８１１，８１２と、検査チップ２Ｅとをシート３１１，３１３によって覆うことができる。このため、第一注入流路８１１，８１２と検査チップ２Ｅとの間にシートの境目が形成されない。よって、シートの境目から、第一試薬１８及び第二試薬１９が漏れる可能性を低減できる。同様に、第二注入流路８２１，８２２と、検査チップ２Ｆとをシート３１２，３１４によって覆うことができる。このため、第二注入流路８２１，８２２と検査チップ２Ｆとの間にシートの境目が形成されない。よって、シートの境目から、第一試薬１８及び第二試薬１９が漏れる可能性を低減できる。
【０１０５】
＜１３．第四実施形態に係る検査チップ体１０４の構造＞
図１４及び図１５を参照し、第四実施形態に係る検査チップ体１０４について説明する。第一実施形態に係る検査チップ体１０１と同様の機能を有する構成は同じ符号で示し、詳細な説明は省略する。検査チップ体１０４は、２つの検査チップ２と分配部８３との集合体である。２つの検査チップ２は、左右方向に互いに離間している。以下の説明では、左側の検査チップ２を検査チップ２Ｇといい、右側の検査チップ２を検査チップ２Ｈという。
【０１０６】
検査チップ２Ｇ，２Ｈは、夫々、図２に示す検査チップ２Ａ，２Ｂと同一の検査チップである。すなわち、検査チップ２Ｇと検査チップ２Ｈとは、互いに流路の形成パターンが同一である。しかし、図２に示す検査チップ体１０１とは異なり、検査チップ２Ｇと検査チップ２Ｈとの同一の形成パターンの流路が設けられる面は互いに逆向きである。このため、図１４に示すように、検査チップ２Ｇの第一面２１１は、前方を向き、検査チップ２Ｈの第三面２１３は、後方を向いている。また、切込部８９１は、第二面２１２の上側に配置されている。切込部８９２は第三面２１３の上側に配置されている。
【０１０７】
また、検査チップ２Ｇと検査チップ２Ｈとの間の位置関係は、検査装置１における検査チップ２Ｇ，２Ｈが配置される２つの装着用ホルダ４０の間の位置関係と同一である。より詳細には、検査チップ２Ｇ，２Ｈは互いに前後方向にずれている。また、分配部８３に対する検査チップ２Ｇ，２Ｈの上下方向の高さ位置は互いに同一である。なお、図示しないが、図３及び図４に示すシート２９１〜２９６の場合と同様に、分配部８０の前後方向の面、及び検査チップ２Ｇ，２Ｈの前後方向の面にシートが配置される。
【０１０８】
＜１４．第四実施形態の主たる作用・効果＞
以上のように、第四実施形態に係る検査チップ体１０４が形成される。検査チップ２Ｇ，２Ｈを用いた検査が行われる場合、検査チップ２Ｇ，２Ｈは、図１に示す検査装置１の垂直軸線Ａ１を中心に挟んで配置される。このとき、検査チップ２Ｇ，２Ｈにおける同一の形成パターンの流路が設けられる面が互いに逆向きに配置される。本実施形態においては、検査チップ体１０４における検査チップ２Ｇ、２Ｈは、同一の形成パターンの流路が設けられる面が互いに逆向きである。このため、検査チップ２Ｇ，２Ｈが検査装置１に配置される場合に、誤って同一の方向に配置される可能性を低減できる。
【０１０９】
また、検査チップ２Ｇと検査チップ２Ｈとの間の位置関係は、検査装置１における検査チップ２Ｇ，２Ｈが配置される２つの装着用ホルダ４０の間の位置関係と同一である。このため、検査チップ２Ｇ，２Ｈが分配部８３に接続されている状態で、検査チップ２Ｇ，２Ｈを装着用ホルダ４０に配置できる。そして、検査チップ２Ｇ，２Ｈを装着用ホルダ４０に配置した後に、分配部８３と検査チップ２Ｇ，２Ｈとを切込部８９１，８９２において破断できる。検査チップ２Ｇ，２Ｈを装着用ホルダ４０に配置できるので、検査チップ２Ｇと検査チップ２Ｈとを別々に装着用ホルダ４０に配置する場合に比べて、検査チップ２Ｇ，２Ｈを装着用ホルダ４０に配置する作業量を低減できる。また、検査チップ２Ｇと検査チップ２Ｈとの両方を一度に装着用ホルダ４０に配置できる。このため、検査チップ２Ｇ，２Ｈの一方のみが装着用ホルダ４０に配置され、他方が装着用ホルダ４０に配置されない状態で検査が実行される可能性を低減できる。
【０１１０】
なお、装着用ホルダ４０の位置は、任意の位置に変更してもよい。この場合、検査チップ２Ｇ，２Ｈの位置関係も、装着用ホルダ４０の位置に合わせて変更してもよい。また、検査チップ２Ｇと検査チップ２Ｈとの間の位置関係は、検査装置１における検査チップ２Ｇ，２Ｈが配置される２つの装着用ホルダ４０の間の位置関係と同一でなくてもよい。
【符号の説明】
【０１１１】
１    検査装置
２，２Ａ，２Ｂ，２Ｃ，２Ｄ，２Ｅ，２Ｆ，２Ｇ，２Ｈ    検査チップ
１７    検体
１８    第一試薬
１９    第二試薬
２０    板材
４０    装着用ホルダ
８０〜８３    分配部
８７Ａ    第一接続部
８７Ｂ    第二接続部
１０１〜１０４    検査チップ体
１１１    保持部
１１９    入口
１４１，１４２    第一注入口
１５１，１５２    第二注入口
２０１    第一壁部
２０２    第二壁部
２１１    第一面
２１２    第二面
２１３    第三面
２１４    第四面
２９１〜２９６，３１１〜３１４    シート
８０１，８０２    導入口
８１１，８１２    第一注入流路
８２１，８２２    第二注入流路
８９１〜８９７，８９１１，８９１２    切込部
９０１    金型
９０２    材料注入口
【図１】
2015031526.tif 000003
【図２】
2015031526.tif 000004
【図３】
2015031526.tif 000005
【図４】
2015031526.tif 000006
【図５】
2015031526.tif 000007
【図６】
2015031526.tif 000008
【図７】
2015031526.tif 000009
【図８】
2015031526.tif 000010
【図９】
2015031526.tif 000011
【図１０】
2015031526.tif 000012
【図１１】
2015031526.tif 000013
【図１２】
2015031526.tif 000014
【図１３】
2015031526.tif 000015
【図１４】
2015031526.tif 000016
【図１５】
2015031526.tif 000017